(57)【特許請求の範囲】
【請求項１】
重畳通信ネットワーク（ＰＬＭＮ；ＰＳＴＮ；ＩＳＤＮ）の制御局（Ｚ）から、基地局（ＣＴＳ−ＦＰ）と前記基地局（ＣＴＳ−ＦＰ）で初期化された少なくとも１つの移動局（ＭＳ）とを有する位置的に限定されたコードレス通信システム（ＣＴＳ）に運用パラメータを伝送する方法であって、重畳通信ネットワークを介して、運用パラメータが、最初は基地局（ＣＴＳ−ＦＰ）の移動局（ＭＳ）の１つに伝送され、次いでこの１つの移動局（ＭＳ）から基地局（ＣＴＳ−ＦＰ）及び可能な限り遠くのすべての他の初期化された移動局（ＭＳ）に中継され、そして起動される、運用パラメータを伝送する方法。
【請求項２】
重畳通信ネットワークが、基地局（ＣＴＳ−ＦＰ）が接続されている有線通信ネットワーク（ＰＳＴＮ、ＩＳＤＮ）であるか、前記基地局（ＣＴＳ−ＦＰ）または１つの移動局（ＭＳ）がコードレス方式で接続されているコードレス通信ネットワーク（ＰＬＭＮ）であることを特徴とする請求の範囲第１項に記載の方法。
【請求項３】
１つの移動局（ＭＳ）が送信されてきた運用パラメータを最初に一時的に記憶し、その後初めてそれらを基地局（ＣＴＳ−ＦＰ）または他の移動局（ＭＳ）に搬送することを特徴とする請求の範囲第１項に記載の方法。
【請求項４】
運用パラメータをすべての登録された移動局（ＭＳ）に中継した後で、これらの運用パラメータが基地局（ＣＴＳ−ＦＰ）およびこれらの移動局（ＭＳ）内で起動されることを特徴とする請求の範囲第１項から第３項のいずれか一項に記載の方法。
【請求項５】
基地局（ＣＴＳ−ＦＰ）から、運用パラメータが、未登録であるが初期化された移動局（ＭＳ）に中継され、運用パラメータが、最初は前記又は異なる重畳通信ネットワークに搬送され、次いでそこから好ましくはショートメッセージ（ＳＭＳ＝ショートメッセージサービス）としてコードレス方式で、これらの未登録の移動局（ＭＳ）に中継されることを特徴とする請求の範囲第１項から第４項のいずれか一項に記載の方法。
【請求項６】
基地局（ＣＴＳ−ＦＰ）が実行する運用パラメータが、前記運用パラメータがすでに起動されている移動局（ＭＳ）を介して、コードレス重畳通信ネットワーク経由で未登録の初期化された移動局（ＭＳ）に中継されることを特徴とする請求の範囲第５項に記載の方法。
【請求項７】
基地局（ＣＴＳ−ＦＰ）が、以前未登録の初期化された移動局（ＭＳ）が前記基地局に登録されるとすぐに、運用パラメータをこの移動局（ＭＳ）に中継することを特徴とする請求の範囲第１項から第６項のいずれか一項に記載の方法。
【請求項８】
基地局（ＣＴＳ−ＦＰ）で初期化されたすべての移動局（ＭＳ）が、所定の一様の登録シーケンス、特に所定の周波数ホッピングシーケンスを実行し、それによって、基地局（ＣＴＳ−ＦＰ）と移動局（ＭＳ）とで運用パラメータが異なるにもかかわらず、運用パラメータが基地局（ＣＴＳ−ＦＰ）から移動局（ＭＳ）に伝送されて起動されることを特徴とする請求の範囲第１項から第７項のいずれか一項に記載の方法。
【請求項９】
未登録であるが初期化された移動局（ＭＳ）が、運用パラメータを伝送するために、基地局（ＣＴＳ−ＦＰ）に関連付けられた好ましくはコードレスのインタフェースを介して、前記基地局（ＣＴＳ−ＦＰ）に接続できることを特徴とする請求の範囲第１項から第８項のいずれか一項に記載の方法。
【請求項１０】
運用パラメータの初期化された移動局（ＭＳ）への中継および前記運用パラメータの起動が、その登録状態（登録または未登録）とそれぞれの場合に使用する伝送方法に従って、時間遅延の後に実行されることを特徴とする請求の範囲第１項から第９項のいずれか一項に記載の方法。
【請求項１１】
移動局（ＭＳ）が、複数のコードレス通信システム（ＣＴＳ）で初期化され得ることを特徴とする請求の範囲第１項から第１０項のいずれか一項に記載の方法。
【請求項１２】
制御局（Ｚ）または基地局（ＣＴＳ−ＦＰ）からの運用パラメータの伝送が、周期的に実施されることを特徴と
する請求の範囲第１項から第１１項のいずれか一項に記載の方法。
【請求項１３】
基地局（ＣＴＳ−ＦＰ）と前記基地局（ＣＴＳ−ＦＰ）で初期化された少なくとも１つの移動局（ＭＳ）とを有するコードレス通信システム（ＣＴＳ）であって、重畳通信ネットワーク（ＰＬＭＮ；ＰＳＴＮ；ＩＳＤＮ）の制御局（Ｚ）が、重畳通信ネットワークを介して、運用パラメータを、最初は前記コードレス通信システム（ＣＴＳ）の移動局（ＭＳ）の１つに伝送し、起動のために、この１つの移動局（ＭＳ）が、運用パラメータを基地局（ＣＴＳ−ＦＰ）及び可能な限り遠くのすべての他の初期化された移動局（ＭＳ）に中継する、コードレス通信システム。
【発明の詳細な説明】
本発明は、制御局から、基地局と前記基地局で初期化された少なくとも１つの移動局とを有する位置的に限定されたコードレス通信システムに運用パラメータを伝送する方法と、この伝送方法を実行する、基地局と前記基地局で初期化された少なくとも１つの移動局とを有する対応するコードレス通信システムの両方に関する。
「初期化された」という用語は、基本的に任意の移動局が基地局との動作用に設定されたことを示し、「登録された」という用語は、初期化された移動局が基地局と通信中であることを示す。
共に無線接続を介して互いに無線信号を交換する固定無線装置（基地局）と移動無線装置（移動局）とを有する従来の位置的に限定されない通信システムが、１９９２年に仏国Ｐａｌａｉｓｅａｕで社内出版されたＭ．ＭｏｕｌｙおよびＭ．Ｂ．Ｐａｕｔｃｔ著の「Ｔｈｅ  ＧＳＭ  Ｓｙｓｔｅｍ  ｆｏｒ  Ｍｏｂｉｌｅ  Ｃｏｍｍｕｎｉｃａｔｉｏｎｓ」という文献に記載されている。この文献に記載された無線通信システムは、技術構成要素が同じ名前の標準「ＧＳＭ」を満足する公衆移動無線システム「Ｇｌｏｂａｌ  Ｓｙｓｔｅｍ  ｆｏｒ  Ｍｏｂｉｌｅ  Ｃｏｍｍｕｎｉｃａｔｉｏｎｓ」（ＧＳＭ）である。
この文献の６．３．９節と６．３．１０節の４２４頁〜４２７頁には、移動局の位置が変化すると移動局の運用パラメータが変化することが記載されている。例えば、位置的に異なる周波数の変化に対処するために、周波数ホッピングチャネルの周波数特性が、他の移動局と同期して変化する必要がある。ＧＳＭネットワークには無線信号チャネル（ＢＣＣＨ：同報通信制御チャネル）が提供されているので、運用パラメータを伝送するために移動局への信号接続が任意の時間に容易に確立できる。
一定数の移動局が、位置的に限定された伝送範囲を有する基地局によって運用される（ＢＣＣＨを提供する必要がない）位置的に限定されたコードレス通信システム（ＣＴＳ＝コードレス電話システム）では、いずれにせよ、基地局と前記基地局で初期化されたすべての移動局とへ運用パラメータを中央から伝送することが望ましい。ＣＴＳの運用パラメータの組、例えば、周波数リストまたは周波数ホッピングシーケンスは、公衆陸上移動網（ＰＬＭＮ）のネットワーク運用者（以下、略して運用者とも呼ぶ）または認可された機関（例えば無線周波数のライセンスをユーザに発行する州の規制当局）の要求に従って変化することがある。これらの変化は、移動局が配布の時点でコードレス通信システムに登録されているか否かにかかわらず、基地局（ＣＴＳ−ＦＰ＝ＣＴＳ−固定部分）と前記基地局で初期化された移動局（ＭＳ＝移動局）に配布可能でなくてはならない。さらに、各移動局はそれらがＣＴＳの伝送範囲内にあるか否かに従って、ＣＴＳまたはＧＳＭに登録できる（いわゆる「２重モード端末」）。またＣＴＳは、同報通信搬送波を介してパラメータを伝送できないという制約を受け、さらに必ずしもＰＬＭＮ通信圏を有するとは限らない。
例えば、ＣＴＳが周期的な運用パラメータを検査する必要がある時、制御局（ネットワーク運用者または認可された機関）が変更を行う時、またはＣＴＳの位置が変化した（例えば移動のために）時に、初めて新しいＣＴＳを初期化する必要がある場合。そのような場合、運用パラメータ（パラメータの組）をＣＴＳ−ＦＰおよびそのＭＳに伝送するかこれを更新する必要がある。
したがって、本発明の目的は、運用パラメータが１つまたは複数の位置的に限定されたコードレス通信システムに最も容易な形で中央から配布され、起動されることができる通信方法を提供すること、および対応するコードレス通信システムを提供することである。
この目的は、請求の範囲第１項の特徴を有する方法および従属請求項の機能を有するコードレス通信システムによって達成される。
したがって、この目的は、本発明によれば、重畳通信ネットワークを介して、運用パラメータが、最初は基地局またはその移動局の１つに伝送され、次いで基地局から可能な限り遠くのすべての他の初期化された移動局にまで中継されるか、または１つの移動局から基地局及び可能な限り遠くのすべての他の初期化された移動局にまで中継され、そして起動されることによって達成される。このために、制御局が重畳通信ネットワーク（いわゆる「オーバレイネットワーク」）に接続される。
本発明による方法によれば、制御局、したがってまたＰＬＭＮ運用者または認可された機関は、ＣＴＳ運用パラメータ（パラメータの組）を直接または間接に変更して、これらの動作パラメータを起動させることができる。運用パラメータは、次の２つの段階で転送される。運用パラメータは、最初、制御局からＣＴＳ、すなわち基地局またはその移動局の１つに転送される。次いでこれらの運用パラメータは、制御局と無関係にＣＴＳ内で配布される、すなわち、ＣＴＳ内の基地局および移動局に中継される。
本発明による伝送方法の好ましい実施形態によれば、重畳通信ネットワークは、有線通信ネットワーク、例えばＰＳＴＮ（公衆交換電話網）またはＩＳＤＮ（サービス総合ディジタル網）である。運用パラメータの転送は、ネットワーク運用者または認可された機関がＰＳＴＮまたはＩＳＤＮを介して基地局を呼び出して運用パラメータを基地局に伝送することで開始できる。
特に基地局による周期的な運用パラメータの検査の間は、運用パラメータの伝送が基地局または１つの移動局、すなわちＣＴＳ自体によって実行されることが有利である。例えば、基地局はＰＳＴＮまたはＩＳＤＮを介してネットワーク運用者を呼び出すことができる。したがって、ネットワーク運用者または認可された機関を通じてコールバックが任意選択で実施され得る。
あるいは、移動局はＰＬＭＮを介してネットワーク運用者を呼び出し、運用パラメータをその加入者識別モジュールまたはその他の移動装置に一時的に記憶し、後の段階でそれを基地局に転送する。
特に、運用パラメータがネットワーク運用者から、基地局で初期化されたが距離が遠すぎるので基地局に登録されていない移動局に伝送される場合、この１つの移動局は最初に、伝送された運用パラメータを一時的に記憶し、前記移動局が適切な伝送範囲に入った段階でそれらの運用パラメータを基地局に中継する。ネットワーク運用者または認可された機関は、ＰＬＭＮを介して移動局を呼び出す。移動局は、運用パラメータをＳＩＭまたはＭＥに一時的に記憶し、その後運用パラメータを基地局に転送する。ネットワーク運用者から移動局への転送は、重畳コードレスネットワークを介して（例えばＧＳＭネットワークを介して）実施でき、それによって伝送された運用パラメータは、移動局から直接ＣＴＳの他の移動局に中継できる。
本発明による伝送方法の特に好ましい実施形態では、運用パラメータを少なくともすべての登録された移動局に中継した後で初めて、これらの運用パラメータは、基地局とこれらの移動局で好ましくは同時に起動される。まだ基地局と通信していない未登録の移動局は、ただちに運用パラメータを必要とはしないが、遅くとも基地局への通信接続を確立する時、すなわち、登録される時には、運用パラメータを必要とする。これは、登録された移動局への運用パラメータの配布が、ＣＴＳモードで実行され、次いで新しい運用パラメータの起動が、基地局と登録された移動局とで実行されることを意味する。
未登録の移動局は、基地局と通信していないが、本方法の他の有利な実施形態では、基地局は、前記又は異なる重畳通信ネットワークを介して、未登録であるが初期化された移動局に運用パラメータを中継できる。したがって、運用パラメータは移動無線ネットワーク、例えばＧＳＭを介して任意の未登録の移動局に転送でき、その場合、基地局は、それ自体でまたはネットワーク運用者を介して、ＧＳＭ経由で意図的にこの移動局を呼び出し、運用パラメータをその移動局に個別に伝送する。
本方法のこの実施形態の発展形では、運用パラメータを基地局からショートメッセージとして未登録の初期化された移動局に中継することも可能である。ショートメッセージサービスＳＭＳは、移動体ネットワークの任意選択のサービス機能としてすでに知られている。例えば、移動局の電源が入ってない場合でも、ＳＭＳによって加入者に最大１６０文字を伝送できる。テキストは一時的にネットワーク内に記憶され、加入者が次に電源を入れたときに情報の存在が加入者に伝えられて、取り出すために伝送される。
また、運用パラメータは、基地局から有線重畳通信システム、例えばＰＳＴＮまたはＩＳＤＮを介して中継できる。
一方、代替方法では、基地局が実行する運用パラメータは、前記運用パラメータがすでに起動されている移動局を介して、コードレス重畳通信ネットワーク（ＰＬＭＮ、例えば移動体無線ネットワークＧＳＭ）経由で、未登録の初期化された移動局に中継される。これは、ＰＬＭＮ内のやはり未登録の移動局が後の段階で再びＰＬＭＮ内で登録される場合に実施される。
基地局は、以前未登録の初期化された移動局が前記基地局に登録されるとすぐに、運用パラメータをこの移動局に中継することが好ましい。
本方法の他の実施形態では、基地局で初期化されたすべての移動局が、所定の一様の登録シーケンスを実行し、それによって、基地局と移動局とで運用パラメータが異なるにもかかわらず、運用パラメータが基地局から移動局に中継されて起動される。所定の周波数ホッピングシーケンスの形の開始シーケンスが登録に使用されることが好ましい。運用パラメータは、初期化されているが未登録の移動局に配布され、基地局で新しい運用パラメータが起動された後で、これらの移動局は、基地局への接続を確立して、基地局と初期化された移動局とが共用する秘密である知られている周波数ホッピングシーケンスの開始シーケンスを介して、運用パラメータをロードし起動させる。この開始シーケンスは、すべての前述の伝送方法が失敗した後でも接続を確立できることを保証する。
上記の方法は、前記方法がバックグラウンドで自動的に実行できるというユーザにとっての利点を有する。
さらに、未登録の初期化された移動局が、運用パラメータの伝送のために基地局に関連付けられた有線またはコードレスインタフェースを介して基地局に手動で接続できるという確実性が得られる。移動局は、例えば、基地局の赤外線（ＩＲ）インタフェースに接続でき、転送が終了すると運用パラメータを起動させることができる。この伝送方法は、例えば、ＰＬＭＮ（空中インタフェース）を介した運用パラメータの伝送が以前は失敗していた場合の「緊急シナリオ」として使用できるが、基地局とそれに関連付けられた移動局が、手動で、対応する「緊急モード」に入るように途中で開始することもできる。
新しい運用パラメータは、適時に直ちに、または決められた時間に、起動され得る。運用パラメータの初期化された移動局への中継および前記運用パラメータの起動は、その登録状態（登録または未登録）とそれぞれの場合に使用する伝送方法に従って時間遅延の後に実行され得る。
移動局は、複数のコードレス通信システムで初期化されているか初期化され得ることが好ましい。
伝送方法のこれらの異なる変形形態は個別に、または任意の組合せで使用でき、またすべての初期化された移動局に連続して新しいパラメータを供給するために、それらの伝送方法の変形形態に所定のエスカレーション段階を設けることができる。さらに、伝送方法の前述した変形形態は、ＢＣＣＨ（同報通信チャネル）フリープロトコルで、またＢＣＣＨチャネルを使用する場合に適用できる。さらに、伝送方法のこれらの変形形態は「フルレートトラフィックチャネル」だけでなく「ハーフレートトラフィックチャネル」に適用できる。本発明による伝送方法は、ＴＤＭＡ（時分割多元接続）システムのようなものあるいはまたＣＤＭＡ（符号分割多元接続）システムまたはそれらの混合システムにも適用できる。例えば、搬送周波数、周波数ホッピングダイアグラム、ＨＦパフォーマンスパラメータ、開始シーケンスまたは無線伝送モード（ハーフ／フルレート、ＣＤＭＡ符号）などを運用パラメータとして伝送できる。
前述の目的は、本発明によれば、制御局から重畳通信ネットワークを介して、運用パラメータが、最初は基地局またはその移動局の１つに伝送され、次いで基地局から可能な限り遠くのすべての初期化された移動局にまで中継されるか、１つの移動局から基地局及び可能な限り遠くのすべての他の初期化された移動局にまで中継され、そして起動される冒頭に述べたコードレス通信システムとともに達成される。
本発明の他の利点は、以下の説明と図面から明らかになろう。同様に、上述した機能および以下に記載する機能は、本発明によればそのまま個別に、または任意に組み合わせて使用することができる。図示し説明する設計は、網羅的なものではなく、本発明を説明するための一例である。
本発明を第１図および第２図に示し、一実施形態に関連して詳述する。第１図は、運用パラメータを配布するための本発明による流れ図のおおまかな概略図である。第２図は、本方法を実行するコードレス通信システムの構成の概略図である。これら２つの図について以下で考察する。
基地局ＣＴＳ−ＦＰと前記基地局で初期化された少なくとも１つの移動局ＭＳとを有するコードレス通信システムＣＴＳが示されており、重畳通信ネットワークＰＬＭＮの制御局Ｚは、重畳通信ネットワークを介して、運用パラメータを、最初は基地局ＣＴＳ−ＦＰ（他のＰＳＴＮまたはＩＳＤＮネットワーク経由で）またはコードレス通信システムＣＴＳの移動局ＭＳの１つに（ＰＬＭＮの空中インタフェース経由で）伝送する。次いで、運用パラメータは、起動のため、基地局から可能な限り遠くのすべての初期化された移動局にまで、または１つの移動局から基地局及び可能な限り遠くのすべての他の初期化された移動局にまで中継される。
この流れ図は、運用パラメータをコードレス通信システムに伝送する方法の２つの変形形態、すなわち、ＣＴＳ自体が伝送（転送）を開始する場合（ステップ１）かまたはネットワーク運用者が伝送を開始する場合（ステップ１’）を示す。
第１の場合（ステップ１）には、伝送する運用パラメータが以前使用していた運用パラメータと異なっているか否かが最初に照会される（ステップ２）。異なっていない場合、伝送も更新も不要であり、したがって、運用パラメータの転送と起動はすでに終了していることとなる（ステップ８）。
新しい運用パラメータを伝送する場合、またはネットワーク運用者が伝送を開始する場合（ステップ１’）、新しい運用パラメータがネットワーク運用者によって基地局、例えばＣＴＳ−ＦＰに伝送（ロード）される（ステップ３）。基地局から、新しい運用パラメータが基地局に登録された移動局（ＭＳ）に配布または中継される（ステップ４）。
ステップ５では、基地局で初期化されたすべての移動局が登録されているか、したがって運用パラメータの配布がすでに終了しているか否かが照会される。運用パラメータの配布がすでに終了している場合、新しい運用パラメータが基地局（ステップ６）と移動局（ステップ７）の両方で起動され、そして、新しい運用パラメータの転送と起動は終了する（ステップ８）。ステップ５の照会の結果が否定応答の場合、次のステップ９で、新しい運用パラメータを、例えばＳＭＳによってＰＬＭＮを介して残っている未登録の移動局に中継する試みが実行される。次いで、新しい運用パラメータは、基地局と登録された移動局内で起動される（ステップ６およびステップ７）。
さらにステップ９の後の次のステップ１０で、各場合に、新しい運用パラメータの未登録の移動局への伝送が成功したか否かが検査される。成功した場合、新しい運用パラメータもこの移動局内で起動される（ステップ７）。そうでない場合、新しい運用パラメータは後の段階で未登録の移動局に、例えば有線インタフェースを介して中継され配布され（ステップ１１）、その時新しい運用パラメータもこの移動局内で起動される（ステップ７）。新しい運用パラメータが基地局および基地局で初期化されたすべての移動局に中継され、起動されている場合、本伝送方法は終了する（ステップ８）。
【図１】
0004152451.tif 000002
【図２】
0004152451.tif 000003